(57)【要約】【課題】ユーザ操作による一定のタイミングで、選択文書と同一のフォーマット文書の表示方法若しくは表示位置を変更することにより、フォーマットが同一であるか否かの識別容易性および同一フォーマット同士の文書の操作容易性を向上させる文書処理装置およびその表示処理方法、文書処理プログラムを提供する。【解決手段】表示モード切り替えの指示を受け付け、複数層モードに切り替える指示の場合、一覧に基づいて全文書のフォーマットを確認し、フォーマット毎の画面を作成し、作成したフォーマット毎の画面を表示する。また、単層モードに切り替える指示の場合、全文書を表示した画面を作成し、作成した全文書を表示した画面を表示する。【選択図】図１
2006244045.tif 000002
【特許請求の範囲】
【請求項１】
ファイルとして格納されている電子文書を一覧表示するとともに、該表示したファイルに対する処理を受け付けて実行する文書処理装置において、
前記電子文書の種類を問わずに、全ての電子文書を同一の画面に表示する一画面表示手段と、
前記種類が同一の電子文書のみを表示する種類毎の画面を作成し、該作成した種類毎の画面を層状に表示する複数画面表示手段と
を具備することを特徴とする文書処理装置。
【請求項２】
前記複数画面表示手段は、
前記種類毎の画面上の電子文書同士の処理のみを受け付ける
ことを特徴とする請求項１記載の文書処理装置。
【請求項３】
ファイルとして格納されている電子文書を一覧表示するとともに、該表示したファイルに対する処理を受け付けて実行する文書処理装置において、
前記電子文書の種類を問わずに、全ての電子文書を同一の画面に表示する画面表示手段と、
前記画面上の任意の電子文書が選択された際に、該選択された電子文書の種類と同一の種類の電子文書の表示を変化させる電子文書表示変化手段と
を具備することを特徴とする文書処理装置。
【請求項４】
前記電子文書表示変化手段は、
前記画面上で前記選択された電子文書が移動された際に、該選択された電子文書の種類と同一の種類の電子文書の表示を変化させる
ことを特徴とする請求項３記載の文書処理装置。
【請求項５】
前記電子文書変化手段は、
前記同一の種類の電子文書を可視状態に、前記選択された電子文書の種類と異なる種類の電子文書を非可視状態に変化させる
ことを特徴とする請求項３若しくは請求項４記載の文書処理装置。
【請求項６】
前記電子文書変化手段は、
前記選択された電子文書の周辺に、前記同一の種類の電子文書を表示させ、
前記選択された電子文書の選択が解除された際に、前記画面上の全ての電子文書を表示変化前の位置に戻す
ことを特徴とする請求項３記載の文書処理装置。
【請求項７】
ファイルとして格納されている電子文書を一覧表示するとともに、該表示したファイルに対する処理を受け付けて実行する文書処理装置において、
前記電子文書の種類を問わずに、全ての電子文書を同一の画面に表示する画面表示手段と、
前記画面の全体が表示されていない場合、該画面上の任意の電子文書が選択された際に該画面の全体を俯瞰できる画面スペースに変化させる画面スペース変化手段と、
前記選択された電子文書の種類と同一の種類の電子文書に情報を付加表示する付加表示手段と
を具備することを特徴とする文書処理装置。
【請求項８】
ファイルとして格納されている電子文書を一覧表示するとともに、該表示したファイルに対する処理を受け付けて実行する文書処理装置の表示処理方法において、
一画面表示モードでは、前記電子文書の種類を問わずに、全ての電子文書を同一の画面に表示し、
複数画面表示モードでは、前記種類が同一の電子文書のみを表示する種類毎の画面を作成し、該作成した種類毎の画面を層状に表示する
ことを特徴とする文書処理装置の表示処理方法。
【請求項９】
前記複数画面表示モードにおいては、
前記種類毎の画面上の電子文書同士の処理のみを受け付ける
ことを特徴とする請求項８記載の文書処理装置の表示処理方法。
【請求項１０】
ファイルとして格納されている電子文書を一覧表示するとともに、該表示したファイルに対する処理を受け付けて実行する文書処理装置の表示処理方法において、
前記電子文書の種類を問わずに、全ての電子文書を画面表示手段により同一の画面に表示し、
前記画面上の任意の電子文書が選択された際に、該選択された電子文書の種類と同一の種類の電子文書の表示を電子文書表示変化手段により変化させる
ことを特徴とする文書処理装置の表示処理方法。
【請求項１１】
前記電子文書表示変化手段は、
前記画面上で前記選択された電子文書が移動された際に、該選択された電子文書の種類と同一の種類の電子文書の表示を変化させる
ことを特徴とする請求項１０記載の文書処理装置の表示処理方法。
【請求項１２】
前記電子文書変化手段は、
前記同一の種類の電子文書を可視状態に、前記選択された電子文書の種類と異なる種類の電子文書を非可視状態に変化させる
ことを特徴とする請求項１０若しくは請求項１１記載の文書処理装置の表示処理方法。
【請求項１３】
前記電子文書変化手段は、
前記選択された電子文書の周辺に、前記同一の種類の電子文書を表示させ、
前記選択された電子文書の選択が解除された際に、前記画面上の全ての電子文書を表示変化前の位置に戻す
ことを特徴とする請求項１０記載の文書処理装置の表示処理方法。
【請求項１４】
ファイルとして格納されている電子文書を一覧表示するとともに、該表示したファイルに対する処理を受け付けて実行する文書処理装置の表示処理方法において、
前記電子文書の種類を問わずに、全ての電子文書を画面表示手段により同一の画面に表示し、
前記画面の全体が表示されていない場合、該画面上の任意の電子文書が選択された際に該画面の全体を画面スペース変化手段により俯瞰できる画面スペースに変化させ、
前記選択された電子文書の種類と同一の種類の電子文書に情報を付加表示手段により付加表示する
ことを特徴とする文書処理装置の表示処理方法。
【請求項１５】
ファイルとして格納されている電子文書を一覧表示するとともに、該表示したファイルに対する処理を受け付けて実行する文書処理プログラムにおいて、
一画面表示モードでは、前記電子文書の種類を問わずに、全ての電子文書を同一の画面に表示する処理と、
複数画面表示モードでは、前記種類が同一の電子文書のみを表示する種類毎の画面を作成し、該作成した種類毎の画面を層状に表示する処理と
をコンピュータに動作させることを特徴とする文書処理プログラム。
【請求項１６】
前記複数画面表示モードにおいては、
前記種類毎の画面上の電子文書同士の処理のみを受け付ける
ことを特徴とする請求項１５記載の文書処理プログラム。
【請求項１７】
ファイルとして格納されている電子文書を一覧表示するとともに、該表示したファイルに対する処理を受け付けて実行する文書処理プログラムにおいて、
前記電子文書の種類を問わずに、全ての電子文書を同一の画面に表示する処理と、
前記画面上の任意の電子文書が選択された際に、該選択された電子文書の種類と同一の種類の電子文書の表示を変化させる処理と
をコンピュータに動作させることを特徴とする文書処理プログラム。
【請求項１８】
前記画面上で前記選択された電子文書が移動された際に、該選択された電子文書の種類と同一の種類の電子文書の表示を変化させる処理
をコンピュータに動作させることを特徴とする請求項１７記載の文書処理プログラム。
【請求項１９】
前記同一の種類の電子文書を可視状態に、前記選択された電子文書の種類と異なる種類の電子文書を非可視状態に変化させる処理
をコンピュータに動作させることを特徴とする請求項１７若しくは請求項１８記載の文書処理プログラム。
【請求項２０】
前記選択された電子文書の周辺に、前記同一の種類の電子文書を表示させる処理と、
前記選択された電子文書の選択が解除された際に、前記画面上の全ての電子文書を表示変化前の位置に戻す処理と
をコンピュータに動作させることを特徴とする請求項１７記載の文書処理プログラム。
【請求項２１】
ファイルとして格納されている電子文書を一覧表示するとともに、該表示したファイルに対する処理を受け付けて実行する文書処理プログラムにおいて、
前記電子文書の種類を問わずに、全ての電子文書を同一の画面に表示する処理と、
前記画面の全体が表示されていない場合、該画面上の任意の電子文書が選択された際に該画面の全体を俯瞰できる画面スペースに変化させる処理と、
前記選択された電子文書の種類と同一の種類の電子文書に情報を付加表示する処理と
をコンピュータに動作させることを特徴とする文書処理プログラム。
【発明の詳細な説明】
【技術分野】
【０００１】
本発明は、文書処理装置およびその表示処理方法、文書処理プログラムに関し、特に、ドキュメントハンドリングソフトウェアにおける文書ファイルの操作についての文書処理装置およびその表示処理方法、文書処理プログラムに関する。
【背景技術】
【０００２】
従来、ドキュメントハンドリングソフトウェアとして、実際の紙文書をスキャナ等で読み取った電子文書、またはＰＣ［Personal Computer］で作成した電子文書等を様々なＯＳ［Operating System］で扱うことができる所定の統一した静的文書フォーマットに変換し、異なる媒体または異なるフォーマットの情報を１つのドキュメントに仕立て、ドキュメントのページ分割およびページの束ね等といった操作を行うことが可能なソフトウェアが提供されている。
【０００３】
このドキュメントハンドリングソフトウェアを利用することで、既存文書ベースの資料の作成が容易になり、電子形態でのドキュメントに利用に大きなメリットを加えた。
【０００４】
例えば、複数の電子文書を文書オブジェクト毎に束ねて合成したバインダ内の各種処理を実行可能にする電子文書管理装置および電子文書管理方法がある（例えば、特許文献１参照。）。
【特許文献１】特開２００１−８４２４６号公報
【発明の開示】
【発明が解決しようとする課題】
【０００５】
しかし、最近のドキュメントハンドリングソフトウェアでは、統一したフォーマットに限らず、他のフォーマットの操作を行うことが可能になり、例えば、ドキュメントハンドリングソフトウェアで文書を一覧する場合は、特に文書のフォーマットの差異を意識する必要は無いが、ページの束ね操作を行う場合は、現状では同一のフォーマットの文書同士しか操作を行うことができないため、フォーマットが同一であるか否かをユーザが容易に識別可能で、且つ同一フォーマット同士の文章操作が容易でなければならない。
【０００６】
そこで、本発明は、ユーザ操作による一定のタイミングで、選択文書と同一のフォーマット文書の表示方法若しくは表示位置を変更することにより、フォーマットが同一であるか否かの識別容易性および同一フォーマット同士の文書の操作容易性を向上させる文書処理装置およびその表示処理方法、文書処理プログラムを提供することを目的とする。
【課題を解決するための手段】
【０００７】
上記目的を達成するため、請求項１の発明は、ファイルとして格納されている電子文書を一覧表示するとともに、該表示したファイルに対する処理を受け付けて実行する文書処理装置において、前記電子文書の種類を問わずに、全ての電子文書を同一の画面に表示する一画面表示手段と、前記種類が同一の電子文書のみを表示する種類毎の画面を作成し、該作成した種類毎の画面を層状に表示する複数画面表示手段とを具備することを特徴とする。
【０００８】
また、請求項２の発明は、請求項１の発明において、前記複数画面表示手段は、前記種類毎の画面上の電子文書同士の処理のみを受け付けることを特徴とする。
【０００９】
また、請求項３の発明は、ファイルとして格納されている電子文書を一覧表示するとともに、該表示したファイルに対する処理を受け付けて実行する文書処理装置において、前記電子文書の種類を問わずに、全ての電子文書を同一の画面に表示する画面表示手段と、前記画面上の任意の電子文書が選択された際に、該選択された電子文書の種類と同一の種類の電子文書の表示を変化させる電子文書表示変化手段とを具備することを特徴とする。
【００１０】
また、請求項４の発明は、請求項３の発明において、前記電子文書表示変化手段は、前記画面上で前記選択された電子文書が移動された際に、該選択された電子文書の種類と同一の種類の電子文書の表示を変化させることを特徴とする。
【００１１】
また、請求項５の発明は、請求項３若しくは請求項４の発明において、前記電子文書変化手段は、前記同一の種類の電子文書を可視状態に、前記選択された電子文書の種類と異なる種類の電子文書を非可視状態に変化させることを特徴とする。
【００１２】
また、請求項６の発明は、請求項３の発明において、前記電子文書変化手段は、前記選択された電子文書の周辺に、前記同一の種類の電子文書を表示させ、前記選択された電子文書の選択が解除された際に、前記画面上の全ての電子文書を表示変化前の位置に戻すことを特徴とする。
【００１３】
また、請求項７の発明は、ファイルとして格納されている電子文書を一覧表示するとともに、該表示したファイルに対する処理を受け付けて実行する文書処理装置において、前記電子文書の種類を問わずに、全ての電子文書を同一の画面に表示する画面表示手段と、前記画面の全体が表示されていない場合、該画面上の任意の電子文書が選択された際に該画面の全体を俯瞰できる画面スペースに変化させる画面スペース変化手段と、前記選択された電子文書の種類と同一の種類の電子文書に情報を付加表示する付加表示手段とを具備することを特徴とする。
【００１４】
また、請求項８の発明は、ファイルとして格納されている電子文書を一覧表示するとともに、該表示したファイルに対する処理を受け付けて実行する文書処理装置の表示処理方法において、一画面表示モードでは、前記電子文書の種類を問わずに、全ての電子文書を同一の画面に表示し、複数画面表示モードでは、前記種類が同一の電子文書のみを表示する種類毎の画面を作成し、該作成した種類毎の画面を層状に表示することを特徴とする。
【００１５】
また、請求項９の発明は、請求項８の発明において、前記複数画面表示モードにおいては、前記種類毎の画面上の電子文書同士の処理のみを受け付けることを特徴とする。
【００１６】
また、請求項１０の発明は、ファイルとして格納されている電子文書を一覧表示するとともに、該表示したファイルに対する処理を受け付けて実行する文書処理装置の表示処理方法において、前記電子文書の種類を問わずに、全ての電子文書を画面表示手段により同一の画面に表示し、前記画面上の任意の電子文書が選択された際に、該選択された電子文書の種類と同一の種類の電子文書の表示を電子文書表示変化手段により変化させることを特徴とする。
【００１７】
また、請求項１１の発明は、請求項１０の発明において、前記電子文書表示変化手段は、前記画面上で前記選択された電子文書が移動された際に、該選択された電子文書の種類と同一の種類の電子文書の表示を変化させることを特徴とする。
【００１８】
また、請求項１２の発明は、請求項１０若しくは請求項１１の発明において、前記電子文書変化手段は、前記同一の種類の電子文書を可視状態に、前記選択された電子文書の種類と異なる種類の電子文書を非可視状態に変化させることを特徴とする。
【００１９】
また、請求項１３の発明は、請求項１０の発明において、前記電子文書変化手段は、前記選択された電子文書の周辺に、前記同一の種類の電子文書を表示させ、前記選択された電子文書の選択が解除された際に、前記画面上の全ての電子文書を表示変化前の位置に戻すことを特徴とする。
【００２０】
また、請求項１４の発明は、ファイルとして格納されている電子文書を一覧表示するとともに、該表示したファイルに対する処理を受け付けて実行する文書処理装置の表示処理方法において、前記電子文書の種類を問わずに、全ての電子文書を画面表示手段により同一の画面に表示し、前記画面の全体が表示されていない場合、該画面上の任意の電子文書が選択された際に該画面の全体を画面スペース変化手段により俯瞰できる画面スペースに変化させ、前記選択された電子文書の種類と同一の種類の電子文書に情報を付加表示手段により付加表示することを特徴とする。
【００２１】
また、請求項１５の発明は、ファイルとして格納されている電子文書を一覧表示するとともに、該表示したファイルに対する処理を受け付けて実行する文書処理プログラムにおいて、一画面表示モードでは、前記電子文書の種類を問わずに、全ての電子文書を同一の画面に表示する処理と、複数画面表示モードでは、前記種類が同一の電子文書のみを表示する種類毎の画面を作成し、該作成した種類毎の画面を層状に表示する処理とをコンピュータに動作させることを特徴とする。
【００２２】
また、請求項１６の発明は、請求項１５の発明において、前記複数画面表示モードにおいては、前記種類毎の画面上の電子文書同士の処理のみを受け付けることを特徴とする。
【００２３】
また、請求項１７の発明は、ファイルとして格納されている電子文書を一覧表示するとともに、該表示したファイルに対する処理を受け付けて実行する文書処理プログラムにおいて、前記電子文書の種類を問わずに、全ての電子文書を同一の画面に表示する処理と、前記画面上の任意の電子文書が選択された際に、該選択された電子文書の種類と同一の種類の電子文書の表示を変化させる処理とをコンピュータに動作させることを特徴とする。
【００２４】
また、請求項１８の発明は、請求項１７の発明において、前記画面上で前記選択された電子文書が移動された際に、該選択された電子文書の種類と同一の種類の電子文書の表示を変化させる処理をコンピュータに動作させることを特徴とする。
【００２５】
また、請求項１９の発明は、請求項１７若しくは請求項１８の発明において、前記同一の種類の電子文書を可視状態に、前記選択された電子文書の種類と異なる種類の電子文書を非可視状態に変化させる処理をコンピュータに動作させることを特徴とする。
【００２６】
また、請求項２０の発明は、請求項１７の発明において、前記選択された電子文書の周辺に、前記同一の種類の電子文書を表示させる処理と、前記選択された電子文書の選択が解除された際に、前記画面上の全ての電子文書を表示変化前の位置に戻す処理とをコンピュータに動作させることを特徴とする。
【００２７】
また、請求項２１の発明は、ファイルとして格納されている電子文書を一覧表示するとともに、該表示したファイルに対する処理を受け付けて実行する文書処理プログラムにおいて、前記電子文書の種類を問わずに、全ての電子文書を同一の画面に表示する処理と、前記画面の全体が表示されていない場合、該画面上の任意の電子文書が選択された際に該画面の全体を俯瞰できる画面スペースに変化させる処理と、前記選択された電子文書の種類と同一の種類の電子文書に情報を付加表示する処理とをコンピュータに動作させることを特徴とする。
【発明の効果】
【００２８】
本発明によれば、ユーザは必要に応じて、単層モードでフォーマットに関わり無く文書を一覧でき、複数層モードでフォーマットの差異を簡単に認識でき、更に、特定のフォーマットの文書のみを対象とする操作が可能になるという効果を奏する。
【００２９】
また、本発明によれば、複数のフォーマットの文書が混在した文書表示スペース上で、操作対象となるフォーマットの文書をユーザが認識し易くなり、特に、文書表示スペース上に多くの異種フォーマットの文書が混在している場合、同一のフォーマットの文書を隣接して並び見ることが可能になるので、視認性が高めることが可能になるという効果を奏する。
【００３０】
また、本発明によれば、束ね操作時において、異なるフォーマットが混在している文書表示スペース上でも目的の文書が探しやすくなるとともに、操作を行っていない場合は表示方法を変化させないので、ユーザはフォーマットの違いを意識する必要が無く、更に、実際に操作を行った場合にのみ表示方法を変化させることで、カーソルによる束ね操作が容易になり、サムネイルの内容の見易さとカーソルによる束ね操作のし易さの両立が計ることが可能になるという効果を奏する。
【００３１】
また、本発明によれば、ユーザは文書表示スペースを散乱させることなく選択された文書とその文書と同一のフォーマットの文書とを集合させることができ、同一フォーマット文書のみを対象とした操作を容易に行うことが可能になるという効果を奏する。
【発明を実施するための最良の形態】
【００３２】
以下、本発明に係る文書処理装置およびその表示処理方法、文書処理プログラムの実施の形態について添付図面を参照して詳細に説明する。
【００３３】
図１は、本発明に係る文書管理装置１の機能的な構成の一例を示すブロック図である。
【００３４】
図１に示すように、文書管理装置１は、操作受付部２、表示制御部３、表示情報作成部４、表示情報保持部５、ファイル処理部６、システム情報取得部７、表示情報処理部８を具備して構成される。
【００３５】
操作受付部２は、マウス等の入力装置９から入力されたユーザの操作を受け付ける処理を行う。
【００３６】
表示制御部３は、管理対象となる文書等のディスプレイ等の表示装置１０への表示を制御する処理を行う。
【００３７】
表示情報作成部４は、管理対象の文書等に関する表示情報を作成する処理を行う。
【００３８】
表示情報保持部５は、表示情報作成部４が作成した表示情報をキャッシュとして保持する。
【００３９】
ファイル処理部６は、ファイルシステム１１へのアクセスを行い、ファイルの読み出しまたは書き込みを行う。
【００４０】
システム情報取得部７は、ファイルシステム１１に記憶されているシステム情報（ＯＳ［Operating System］の情報）を取得する処理を行う。
【００４１】
表示情報処理部８は、表示情報保持部５がキャッシュとして保持している表示情報をファイルとしてファイルシステム１１に書き込んだり、ファイルシステム１１から表示情報を読み出したりする。
【００４２】
なお、文書管理装置１はプログラムによりコンピュータ上で動作する装置として構成することができ、この場合には、プログラムの組み方により、機能的には同一となるが、必ずしも図１に示した構成と同一の構成となるとは限らない。
【００４３】
次に、文書管理装置による文書の表示について説明する。
【００４４】
図２は、文書管理装置が表示装置に表示する文書管理画面１２の構成例を示した図である。
【００４５】
図２に示すように、文書管理装置は、表示制御部の制御により表示装置に文書管理画面１２を表示する。なお、文書管理画面１２には、文書管理装置が管理しているフォルダの階層構造を表示する階層表示スペース１３と、文書を表示する文書表示スペース１４とが含まれる。文書表示スペースには、階層表示スペースに表示されたフォルダのうち、ユーザにより選択されたフォルダに格納されているファイルがサムネイルまたはアイコンにより表示される。
【００４６】
図３は、文書表示スペースに表示された文書のフォーマットを示す一覧の一例を示す図である。
【００４７】
図３に示す一覧から、「フォーマットＡ」が「文書１」、「文書４」および「文書５」であり、「フォーマットＢ」が「文書２」、「文書６」および「文書９」であり、「フォーマットＣ」が「文書３」および「文書７」であり、「フォーマットＤ」が「文書８」および「文書１０」であることがわかる。表示制御部はこの一覧に基づき、入力装置で選択された文書のフォーマットを確認し、選択された文書と同一のフォーマットの文書を検索し、選択された文書と同一のフォーマットの文書を容易に認識することが可能な表示制御処理を行う。後述にて、表示制御部が行なうこれらの表示制御処理について説明する。
【実施例１】
【００４８】
実施例１では、表示制御部が行なう同一のフォーマットの文書を容易に認識することを可能にするためにフォーマット毎の画面を表示する表示制御処理の実施の形態について説明する。
【００４９】
表示制御部は同一フォーマット同士の文書のみを表示する画面をフォーマット毎に作成し、作成したフォーマット毎の画面を重ねて表示する複数層モードと、全てのフォーマットの文書を表示する１つの画面を表示する単層モードとを用意し、この２つのモードはユーザにより随時切り替えが可能とし、また、ユーザが選択した操作の種類によって適したモードに自動的に変更する機能も提供する。なお、単層モードは表示制御部が標準で行う表示制御処理であり、図２で説明したものと同様であるため、詳細な説明は省略する。
【００５０】
図４は、複数層モードにおける表示制御処理の一例を示す図である。
【００５１】
図４（ａ）は、複数層モードにおいて、同一フォーマット同士の文書のみを表示する画面を、フォーマット毎に表示する表示制御処理の一例を示す図である。
【００５２】
複数層モードでは、同一フォーマット同士の文書のみを表示する画面を作成し、作成したフォーマット毎の画面を手前／奥方向に重なっているように表示する。例えば、図３に示す一覧の文書を複数モードで表示する場合、図４（ａ）に示すように、「フォーマットＡ」の文書のみを表示する画面１５１、「フォーマットＢ」の文書のみを表示する画面１５２、「フォーマットＣ」の文書のみを表示する画面１５３、および「フォーマットＤ」の文書のみを表示する画面１５４を重ねて表示し、「フォーマットＡ」の画面１５１には、「フォーマットＡ」の文書である「文書１」、「文書４」および「文書５」が表示されている。なお、図示されていないが、「フォーマットＢ」の画面１５２には、「フォーマットＢ」の文書である「文書２」、「文書６」および「文書９」が表示され、「フォーマットＣ」の画面１５３には、「フォーマットＣ」の文書である「文書３」および「文書７」が表示され、「フォーマットＤ」の画面１５４には、「フォーマットＤ」の文書である「文書８」および「文書１０」が表示されている。
【００５３】
複数層モードにおいては、最上層画面においてのみ操作を可能とする。つまり、図４（ａ）では、「フォーマットＡ」の画面１５１に表示されている「文書１」、「文書４」および「文書５」だけ操作可能となる。また、下層の画面に表示されている文書のサムネイルまたはアイコンの明度を下げて表示させても良い。
【００５４】
更に、各画面の重なり順序を変更する手段を提供する。例えば、マウス等の入力装置を用いて下層の画面をクリックすることで、クリックした画面を最上層画面に変更させるようにしても良い。
【００５５】
また、図４（ｂ）に示すように、複数層モードにおいて、同一フォーマット同士の文書のみを表示する画面を、複数の画面を１つの画面内で切り替えることで他の画面を呼び出すのが簡単になるという特徴を持つタブ方式で表示する構成も適用可能である。
【００５６】
次に、実施例１における表示制御部で行われる表示制御の処理手順について図５に示すフローチャートを参照して説明する。
【００５７】
表示モード切り替えの指示を受け付け（ステップＳ５０１）、複数層モードに切り替える指示の場合（ステップＳ５０２でＹＥＳ）、ステップＳ５０３に進み、また、単層モードに切り替える指示の場合（ステップＳ５０３でＮＯ）、ステップＳ５０６に進む。
【００５８】
複数層モードに切り替える指示の場合（ステップＳ５０２でＹＥＳ）、一覧に基づいて全文書のフォーマットを確認し（ステップＳ５０３）、フォーマット毎の画面を作成し（ステップＳ５０４）、作成したフォーマット毎の画面を表示し（ステップＳ５０５）、処理手順を終了する。
【００５９】
単層モードに切り替える指示の場合（ステップＳ５０３でＮＯ）、全文書を表示した画面を作成し（ステップＳ５０６）、作成した全文書を表示した画面を表示し（ステップＳ５０７）、処理手順を終了する。
【００６０】
従って、ユーザは必要に応じて、単層モードでフォーマットに関わり無く文書を一覧でき、複数層モードでフォーマットの差異を簡単に認識でき、更に、特定のフォーマットの文書のみを対象とする操作ができる。
【実施例２】
【００６１】
実施例２では、表示制御部が行なう選択された文書と同一のフォーマットの文書と異なるフォーマットの文書とを文書管理画面上でユーザが明確に認識できるように文書の表示を変化させる表示制御処理の実施の形態について説明する。
【００６２】
表示制御部は文書が選択された際に、選択された文書と同一のフォーマットの文書のみを可視状態にし、異なるフォーマットの文書を不可視状態にする。なお、表示方法については、可視状態／非可視状態に限定する必要は無く、点滅、半透明等の表示方法も適用可能である。
【００６３】
図６は、文書が選択された際の表示制御処理の一例を示す図である。
【００６４】
図６（ａ）に示すように、文書管理画面の文書表示スペースには、図３に示す一覧の文書である「文書１」〜「文書１０」のサムネール（または、アイコン）が表示されており、これらの文書を操作するためのマウス等の入力装置で操作可能なカーソルが表示されている。ここで、ユーザがカーソル１６を「フォーマットＡ」の文書である「文書１」のサムネールに重ねてクリックすると、図６（ｂ）に示すように、「文書１」と同一のフォーマットである「文書４」および「文書５」が整列状態で表示され（つまり、可視状態）、「文書１」と異なるフォーマットである文書は表示されなくなる（つまり、非可視状態）。
【００６５】
次に、実施例２における表示制御部で行われる表示制御の処理手順について図７に示すフローチャートを参照して説明する。
【００６６】
文書が選択されると（ステップＳ７０１）、一覧に基づいて選択された文書のフォーマットを確認し（ステップＳ７０２）、選択された文書のフォーマットと同一のフォーマットの文書を検索し（ステップＳ７０３）、検索した文書を可視状態にするとともに、その他の文書を不可視状態にし（ステップＳ７０４）、処理手順を終了する。
【００６７】
従って、複数のフォーマットの文書が混在した文書表示スペース上で、操作対象となるフォーマットの文書をユーザが認識し易くなり、特に、文書表示スペース上に多くの異種フォーマットの文書が混在している場合、同一のフォーマットが飛び飛びには位置された状態では、操作したい文書を見つけることが困難であるが、同一のフォーマットの文書を隣接して並び見ることが可能になるので、視認性が高まる。
【実施例３】
【００６８】
実施例３では、表示制御部が行なうドラッグ操作された文書と同一のフォーマットの文書と異なるフォーマットの文書とを文書管理画面上でユーザが明確に認識できるように文書の表示を変化させる表示制御処理の実施の形態について説明する。
【００６９】
通常、ドキュメントハンドリングソフトウェアにおける束ね操作は、選択した文書をカーソルによるドラッグ＆ドロップによって束ねたい文書に重ね合わせる操作により実現する。そこで、表示制御部は選択された文書をドラッグ操作中にのみ、文書管理画面の文書表示スペースに表示された文書の中で、ドラッグ操作中の文書と同一のフォーマットの文書のみを可視状態にし、異なるフォーマットの文書を不可視状態にする。なお、表示方法については、可視状態／非可視状態に限定する必要は無く、点滅、半透明等の表示方法も適用可能である。または、ドラッグ操作中に任意のキー等を押下している間だけ表示方法を変化させても良い。
【００７０】
図８は、文書がドラッグ操作された際の表示制御処理の一例を示す図である。
【００７１】
図８（ａ）に示すように、文書管理画面の文書表示スペースには、図３に示す一覧の文書である「文書１」〜「文書１０」のサムネール（または、アイコン）が表示されており、これらの文書を操作するためのマウス等の入力装置で操作可能なカーソルが表示されている。ここで、ユーザがカーソルを「フォーマットＡ」の文書である「文書１」のサムネールに重ねてドラッグ操作すると、図８（ｂ）に示すように、「文書１」と同一のフォーマットである「文書４」および「文書５」がそのまま表示され（つまり、可視状態）、「文書１」と異なるフォーマットである文書は表示されなくなる（つまり、非可視状態）。
【００７２】
なお、可視状態の文書を整列状態で表示することにより、ユーザに対して文書操作をナビゲートするようにしても良い。
【００７３】
次に、実施例３における表示制御部で行われる表示制御の処理手順について図９に示すフローチャートを参照して説明する。
【００７４】
文書がドラッグ操作されると（ステップＳ９０１）、一覧に基づいてドラッグ操作された文書のフォーマットを確認し（ステップＳ９０２）、ドラッグ操作された文書のフォーマットと同一のフォーマットの文書を検索し（ステップＳ９０３）、検索した文書を可視状態にするとともに、その他の文書を不可視状態にし（ステップＳ９０４）、処理手順を終了する。
【００７５】
従って、束ね操作時において、異なるフォーマットが混在している文書表示スペース上でも目的の文書が探しやすくなるとともに、操作を行っていない場合は表示方法を変化させないので、ユーザはフォーマットの違いを意識する必要が無い。更に、実際に操作を行った場合にのみ表示方法を変化させることで、カーソルによる束ね操作が容易になり、サムネイルの内容の見易さとカーソルによる束ね操作のし易さの両立が計れる。
【実施例４】
【００７６】
実施例４では、表示制御部が行なう選択（または、ドラッグ操作）された文書と同一のフォーマットの文書と異なるフォーマットの文書とを文書管理画面上でユーザが明確に認識できるように文書表示スペースの表示を変化させる表示制御処理の実施の形態について説明する。
【００７７】
表示制御部は文書が選択（または、ドラッグ操作）された際に、選択された文書と同一のフォーマットの文書を俯瞰できる文書表示スペースに変化させ（以後、俯瞰ビューと称する）、俯瞰ビューにおいては、文書が存在する文書表示スペース全体像とその中の選択された文書および選択された文書と同一のフォーマットの文書との位置関係が俯瞰的に表示される。また、俯瞰ビューにおける選択された文書の操作を可能とし、操作に応じて選択された文書と同一のフォーマットの文書にはサムネールまたは文字列等の付加的な情報が表示されたり、同一フォーマット同士のみで可能な操作（例えば、束ね操作）を実行することができる。
【００７８】
図１０は、俯瞰ビューの表示制御処理の一例を示す図である。
【００７９】
図１０（ａ）に示すように、文書管理画面の文書表示スペースには、図３に示す一覧の文書である「文書１」、「文書３」、「文書６」および「文書１０」のサムネール（または、アイコン）が表示されており、これらの文書を操作するためのマウス等の入力装置で操作可能なカーソルが表示されている。ただし、文書表示スペースの右側に表示された縦スクロールバー１７と、下側に表示された横スクロールバー１８とから、図１０（ｂ）に示すように、この文書表示スペースは全体の文書表示スペースの左上部分のみを表示しているに過ぎないことがわかる。ここで、ユーザがカーソルを「フォーマットＡ」の文書である「文書１」のサムネールに重ねてクリックすると、図１０（ｃ）に示すように、全体の文書表示スペースを俯瞰することができる俯瞰ビューに切り替わり、「文書１」と同一のフォーマットである「文書４」および「文書５」にテキスト表示（図では、「文書４」には「文書４」というテキスト１９１、「文書５」には「文書５」というテキスト１９２）が付加されて表示され、異なるフォーマットの文書にはテキストが付加されない。
【００８０】
次に、実施例４における表示制御部で行われる表示制御の処理手順について図１１に示すフローチャートを参照して説明する。
【００８１】
文書が選択されると（ステップＳ１１０１）、一覧に基づいて選択された文書のフォーマットを確認し（ステップＳ１１０２）、選択された文書のフォーマットと同一のフォーマットの文書を検索し（ステップＳ１１０３）、検索した文書にテキスト等の情報を付加した俯瞰ビューを作成し（ステップＳ１１０４）、作成した俯瞰ビューを表示し（ステップＳ１１０５）、処理手順を終了する。
【００８２】
従って、複数の異なるフォーマットの文書が存在する文書表示スペースにおいて、選択された文書と同一のフォーマットの文書の情報を俯瞰的に取得することができ、また、同一フォーマット同士の操作、情報取得を行うことができる。
【実施例５】
【００８３】
実施例５では、表示制御部が行なう選択された文書と同一のフォーマットの文書と異なるフォーマットの文書とを文書管理画面上でユーザが明確に認識できるように文書の表示を変化させる表示制御処理の実施の形態について説明する。
【００８４】
表示制御部は文書が選択された際に、選択された文書と同一のフォーマットの文書を選択された文書の周辺に一時的に集合させて表示する。選択された文書が選択されている間は集合した文書のみ操作が可能になり、また、選択された文書の選択を解除すると、集合した文書は元の位置に戻るため、文書表示スペース内の散乱を防止することができる。
【００８５】
図１２は、文書が選択された際の表示制御処理の一例を示す図である。
【００８６】
図１２（ａ）に示すように、文書管理画面の文書表示スペースには、図３に示す一覧の文書である「文書１」〜「文書１０」のサムネール（または、アイコン）が表示されており、これらの文書を操作するためのマウス等の入力装置で操作可能なカーソルが表示されている。ここで、ユーザがカーソルを「フォーマットＡ」の文書である「文書１」のサムネールに重ねてクリックすると、図１２（ｂ）に示すように、「文書１」と同一のフォーマットである「文書４」および「文書５」が「文書１」の周辺に集合して表示される。なお、「文書１」の選択を解除すると、図１２（ａ）に示す文書管理画面に戻る。
【００８７】
次に、実施例５における表示制御部で行われる表示制御の処理手順について図１３に示すフローチャートを参照して説明する。
【００８８】
文書が選択されると（ステップＳ１３０１）、一覧に基づいて選択された文書のフォーマットを確認し（ステップＳ１３０２）、選択された文書のフォーマットと同一のフォーマットの文書を検索し（ステップＳ１３０３）、検索した文書を選択された文書の周辺に配置した画面を作成し（ステップＳ１３０４）、作成した画面を表示し（ステップＳ１３０５）、選択された文書の選択が解除されると（ステップＳ１３０６）、全文書を元の位置に戻した画面を作成し（ステップＳ１３０７）、作成した画面を表示し（ステップＳ１３０８）、処理手順を終了する。
【００８９】
従って、ユーザは文書表示スペースを散乱させることなく選択された文書とその文書と同一のフォーマットの文書とを集合させることができ、同一フォーマット文書のみを対象とした操作を容易に行うことができる。
【図面の簡単な説明】
【００９０】
【図１】本発明に係る文書管理装置の機能的な構成の一例を示すブロック図である。
【図２】文書管理装置が表示装置に表示する文書管理画面の構成例を示した図である。
【図３】文書表示スペースに表示された文書のフォーマットを示す一覧の一例を示す図である。
【図４】複数層モードにおける表示制御処理の一例を示す図である。
【図５】実施例１における表示制御部で行われる表示制御の処理手順を示すフローチャートである。
【図６】文書が選択された際の表示制御処理の一例を示す図である。
【図７】実施例２における表示制御部で行われる表示制御の処理手順を示すフローチャートである。
【図８】文書がドラッグ操作された際の表示制御処理の一例を示す図である。
【図９】実施例３における表示制御部で行われる表示制御の処理手順を示すフローチャートである。
【図１０】俯瞰ビューの表示制御処理の一例を示す図である。
【図１１】実施例４における表示制御部で行われる表示制御の処理手順を示すフローチャートである。
【図１２】文書が選択された際の表示制御処理の一例を示す図である。
【図１３】実施例５における表示制御部で行われる表示制御の処理手順を示すフローチャートである。
【符号の説明】
【００９１】
１    文書処理装置
２    操作受付部
３    表示制御部
４    表示情報作成部
５    表示情報保持部
６    ファイル処理部
７    システム情報取得部
８    表示情報処理部
９    入力装置
１０    表示装置
１１    ファイルシステム
１２    文書管理画面
１３    階層表示スペース
１４    文書表示スペース
１５１    「フォーマットＡ」の文書のみを表示する画面
１５２    「フォーマットＢ」の文書のみを表示する画面
１５３    「フォーマットＣ」の文書のみを表示する画面
１５４    「フォーマットＤ」の文書のみを表示する画面
１６    カーソル
１７    縦スクロールバー
１８    横スクロールバー
１９１    「文書４」というテキスト
１９２    「文書５」というテキスト
【図１】
2006244045.tif 000003
【図２】
2006244045.tif 000004
【図３】
2006244045.tif 000005
【図４】
2006244045.tif 000006
【図５】
2006244045.tif 000007
【図６】
2006244045.tif 000008
【図７】
2006244045.tif 000009
【図８】
2006244045.tif 000010
【図９】
2006244045.tif 000011
【図１０】
2006244045.tif 000012
【図１１】
2006244045.tif 000013
【図１２】
2006244045.tif 000014
【図１３】
2006244045.tif 000015